(57)【特許請求の範囲】
【請求項１】
粉末を臼部材の挿入孔で加圧成形する際に用いられる杵部材であって、
回転する回転部材に設けられている装着孔に挿通自在に挿入される本体部と、
前記本体部よりも一端側に設けられると共に、前記臼部材の挿入孔に挿入される挿入部と、
前記本体部よりも他端側に設けられる頭部と、
前記頭部に存在するタグ挿入穴に挿入され、ＩＣインレットおよび当該ＩＣインレットを覆うタグ保持部を備えるＩＣタグと、
を備え、
前記タグ挿入穴の内周面には、複数の凸部が設けられ、その凸部はリング状の少なくとも一部をなしており、
前記タグ挿入穴に挿入された前記ＩＣタグの前記タグ保持部の外周面は、前記凸部が多段に食い込み、
前記タグ保持部の外周面には、径方向の外側に向かって突出するフランジ部が設けられていて、
前記タグ挿入穴には、前記フランジ部が嵌まり込む凹嵌部が設けられている、
ことを特徴とする杵部材。
【請求項２】
請求項１記載の杵部材であって、
前記タグ保持部には、前記ＩＣタグが前記タグ挿入穴に挿入されるときに空気を逃がすための逃がし溝が設けられている、
ことを特徴とする杵部材。
【請求項３】
粉末を杵部材で加圧成形する際に用いられる臼部材であって、
筒状に設けられていると共に径方向の中央側に前記杵部材が挿入される挿入孔を備える筒状部と、
前記筒状部の外周面に存在するタグ挿入穴に挿入され、ＩＣインレットおよび当該ＩＣインレットを覆うタグ保持部を備えるＩＣタグと、
を備え、
前記タグ挿入穴の内周面には、複数の凸部が設けられ、その凸部はリング状の少なくとも一部をなしており、
前記タグ挿入穴に挿入された前記ＩＣタグの前記タグ保持部の外周面は、前記凸部が多段に食い込み、
前記タグ保持部の外周面には、径方向の外側に向かって突出するフランジ部が設けられていて、
前記タグ挿入穴には、前記フランジ部が嵌まり込む凹嵌部が設けられている、
ことを特徴とする臼部材。
【請求項４】
ロータリプレス装置であって、
請求項１から３のいずれか１項に記載の杵部材と、
前記杵部材を挿入しつつ保持する装着孔を備える杵ロータ部と、
筒状に設けられていると共に径方向の中央側に前記杵部材が挿入される挿入孔を備える臼部材と、
前記臼部材を挿入しつつ保持する装着孔を備える臼ロータ部と、
前記ロータ部に装着されている前記杵部材を加圧して、前記挿入孔に前記杵部材の挿入部を挿入させる加圧ローラと、
前記杵部材と対向する部位に取り付けられていると共に、前記ＩＣタグを前記高周波電流に基づく電磁誘導に基づいて検出するコイル状のタグ検出部と、
を備えることを特徴とするロータリプレス装置。
【発明の詳細な説明】
【技術分野】
【０００１】
本発明は、錠剤を形成する際に用いられる杵部材、臼部材およびロータリプレス装置に関する。
【背景技術】
【０００２】
薬や健康食品等の錠剤を形成するために、ロータリプレス装置が用いられている。ロータリプレス装置は、鏡面仕上げされた上杵、下杵および臼を装着可能となっている。このロータリプレス装置を用いて錠剤を形成する場合、薬剤等を形成するための粉末を臼に入れ、その臼に対して上杵と下杵が上下から挿入されて粉末を加圧する。それにより、粉末が固められて錠剤が形成される。ここで、錠剤の形状は、上杵および下杵の凹部形状で決定されるが、これら上杵、下杵および臼を識別するために、たとえば外周面のようなピストン運動の摺動が及ばない平滑面には、個体識別番号等が刻印されている。【０００３】
このような上杵、下杵および臼を１組として、多数の組がロータリプレス装置に装着されている。ここで、上杵、下杵および臼から構成される金型セットは、錠剤の形状や錠剤に押印する刻印等によって互いに対応付けられている。そのため、正しい組み合せの金型セットをロータリプレス装置に装着する必要があるが、誤った金型セットをロータリプレス装置に装着してしまうと、たとえば刻印ミスとなった状態の錠剤を大量に生産してしまうことになる。そのため、現状では、上杵、下杵および臼の個体識別番号等を、作業者の目視により確認して、正しい組み合わせの金型セットとなるようにしてロータリプレス装置に装着している。【０００４】
このようなロータリプレス装置としては、たとえば特許文献１に開示のものがある。
【先行技術文献】
【特許文献】
【０００５】
【特許文献１】特開２０１０−９４７１７号公報
【発明の概要】
【発明が解決しようとする課題】
【０００６】
特許文献１に開示のようなロータリプレス装置においては、作業者は、上述のように、目視によって、正しい組み合わせの上杵、下杵および臼を装着している。そのため、装着ミス等の人為的ミスを確実に防止することが困難となっている。すなわち、上杵、下杵および臼に刻印されている個体識別番号は、レーザ等によって小さい字で刻印される場合が多く、目視がし難い場合が多い。そのため、金型セットがロータリプレス装置に正しく装着されない場合がある。【０００７】
また、上杵、下杵および臼を装着した後にも、次のような問題がある。すなわち、上杵および下杵には、錠剤を形成する際に高い圧力がかかり、その先端側の錠剤を形成する部位では、打錠回数に応じた摩耗が生じる。そして、所定の摩耗量を超えると、錠剤の成形不良が生じたり、錠剤への刻印が不明瞭になる他、薬剤分量が変化する等してしまい、不良品の錠剤を大量に生産してしまう虞がある。したがって、上杵、下杵および臼に関して、所定の摩耗量を超えたか否かも適切に管理する必要があるが、そのような管理を目視で正確に行うことも困難となっている。【０００８】
本発明は上記の事情にもとづきなされたもので、その目的とするところは、装着ミスを低減すると共に、装着後の打錠回数管理も適切に行うことが可能な杵部材、臼部材およびロータリプレス装置を提供しよう、とするものである。
【課題を解決するための手段】
【０００９】
上記課題を解決するために、本発明の第１の観点によると、粉末を臼部材の挿入孔で加圧成形する際に用いられる杵部材であって、回転する回転部材に設けられている装着孔に挿通自在に挿入される本体部と、本体部よりも一端側に設けられると共に、臼部材の挿入孔に挿入される挿入部と、本体部よりも他端側に設けられる頭部と、頭部に存在するタグ挿入穴に挿入され、ＩＣインレットおよび当該ＩＣインレットを覆うタグ保持部を備えるＩＣタグと、を備え、タグ挿入穴の内周面には、複数の凸部が設けられ、その凸部はリング状の少なくとも一部をなしており、タグ挿入穴に挿入されたＩＣタグのタグ保持部の外周面は、凸部が多段に食い込み、タグ保持部の外周面には、径方向の外側に向かって突出するフランジ部が設けられていて、タグ挿入穴には、フランジ部が嵌まり込む凹嵌部が設けられている、ことを特徴とする杵部材が提供される。
【００１２】
また、本発明の他の側面は、上述の発明において、タグ保持部には、ＩＣタグがタグ挿入穴に挿入されるときに空気を逃がすための逃がし溝が設けられていることが好ましい。【００１３】
さらに、本発明の第２の観点によると、粉末を杵部材で加圧成形する際に用いられる臼部材であって、筒状に設けられていると共に径方向の中央側に杵部材が挿入される挿入孔を備える筒状部と、筒状部の外周面に存在するタグ挿入穴に挿入され、ＩＣインレットおよび当該ＩＣインレットを覆うタグ保持部を備えるＩＣタグと、
を備え、タグ挿入穴の内周面には、複数の凸部が設けられ、その凸部はリング状の少なくとも一部をなしており、タグ挿入穴に挿入されたＩＣタグのタグ保持部の外周面は、凸部が多段に食い込み、タグ保持部の外周面には、径方向の外側に向かって突出するフランジ部が設けられていて、タグ挿入穴には、フランジ部が嵌まり込む凹嵌部が設けられている、ことを特徴とする臼部材が提供される。
【００１４】
また、本発明の第３の観点によると、上述の発明に係る杵部材と、杵部材を挿入しつつ保持する装着孔を備える杵ロータ部と、筒状に設けられていると共に径方向の中央側に杵部材が挿入される挿入孔を備える臼部材と、臼部材を挿入しつつ保持する装着孔を備える臼ロータ部と、ロータ部に装着されている杵部材を加圧して、挿入孔に杵部材の挿入部を挿入させる加圧ローラと、杵部材と対向する部位に取り付けられていると共に、ＩＣタグを高周波電流に基づく電磁誘導に基づいて検出するコイル状のタグ検出部と、を備えることを特徴とするロータリプレス装置が提供される。
【発明の効果】
【００１５】
本発明によると、装着ミスを低減すると共に、装着後の管理も適切に行うことが可能な杵部材、臼部材およびロータリプレス装置を提供することができる。
【図面の簡単な説明】
【００１６】
【図１】本発明の一実施の形態に係るロータリプレス装置の部分的な構成を示す斜視図である。
【図２】図１におけるロータリプレス装置のうちロータブロックと加圧ローラの構成を示す斜視図である。
【図３】図１に示すロータリプレス装置の全体構成を示す側断面図である。
【図４】本発明の一実施の形態に係る上杵を上側から見た状態を示す斜視図である。
【図５】図４に示す上杵を下側から見た状態を示す斜視図である。
【図６】図４に示す上杵と共に、下杵と臼部材を示す側面図であり、これらが同一軸線上に配置された状態を示す図である。
【図７】図４に示す杵部材のタグ挿入穴を拡大して示すと共に、このタグ挿入穴に挿入されるＩＣタグを示す側断面図である。
【図８】図６に示す下杵を上側から見た状態を示す斜視図である。
【図９】図６に示す下杵を下側から見た状態を示す斜視図である。
【図１０】図６に示す臼部材の構成を示す斜視図である。
【図１１】図７に示すＩＣタグの構成を示す斜視図である。
【図１２】ＩＣタグの構成を示す斜視図である。
【図１３】図１に示すロータリプレス装置のタグ検出部を示すと共に、磁力線がタグ検出部のコイルアンテナと、ＩＣタグのコイルアンテナを通過し、両者の間にトランス結合を生じさせる状態を示す図である。
【図１４】図７に示した場合とは異なる構成を有するタグ挿入穴を拡大して示すと共に、このタグ挿入穴に挿入されるＩＣタグを示す側断面図である。
【図１５】図１４に示した場合とは異なる構成を有するタグ挿入穴を拡大して示すと共に、このタグ挿入穴に挿入されるＩＣタグを示す側断面図である。
【図１６】空気逃がし穴について説明するための図である。
【発明を実施するための形態】
【００１７】
以下、本発明の一実施の形態に係る、ロータリプレス装置１０、上杵１００、下杵１１０、臼部材１２０およびＩＣタグ２００について、図面に基づいて説明する。
【００１８】
＜１．ロータリプレス装置１０の基本構成について＞
図１は、ロータリプレス装置１０の部分的な構成を示す斜視図である。図２は、ロータリプレス装置１０のうちロータブロック３０と上加圧ローラ５０および下加圧ローラ６０の構成を示す斜視図である。図３は、ロータリプレス装置１０の全体構成を示す側断面図である。図１から図３に示すように、ロータリプレス装置１０は、ロータ支持部２０と、ロータブロック３０と、ローラ支柱４０と、上加圧ローラ５０と、下加圧ローラ６０と、錠剤排出機構７０と、タグ検出部８０とを主要な構成要素としているが、その他にモータのような駆動源（後述）やローラ押圧機構（後述）等を制御する制御部（図示省略）が設けられている。
【００１９】
ロータ支持部２０には、図示を省略するロータ載置盤２１と、そのロータ載置盤２１の中央に位置する回転軸２２が設けられている。この回転軸２２は、ロータブロック３０のユニット軸３６と連結される。また、回転軸２２は、図示を省略するモータ等の駆動源によって回転力が与えられる。そのため、ロータ支持部２０によってロータブロック３０が支持されつつ、回転駆動可能となっている。
【００２０】
ロータブロック３０は、上述したユニット軸３６を備えると共に、そのユニット軸３６の外周側に、上ガイド部３１と、上杵ロータ部３２と、臼ロータ部３３と、下杵ロータ部３４と、下ガイド部３５とを配置している。上ガイド部３１は、上杵ロータ部３２等とは異なってユニット軸３６に対して軸受等を介して回転自在に設けられている。したがって、ユニット軸３６と共に上杵ロータ部３２等が回転した場合でも、この上ガイド部３１を別途の固定的な部位に係止させることで、非回転とすることができる。
【００２１】
この上ガイド部３１は、ガイドレール支持盤３１１を備え、そのガイドレール支持盤３１１に一対の上杵ガイドレール３１２が取り付けられている。上杵ガイドレール３１２は弧状に設けられていて、その弧状の内周側には、後述する上杵１００のくびれ部１０３が嵌まり込む内周凸部３１ａが設けられている。上ガイド部３１を周方向に沿って進行すると、内周凸部３１ａの高さは変動する。そのため、くびれ部１０３にて内周凸部３１ａが嵌まり込んでいる上杵１００は、上杵ロータ部３２の回転に従って上下動する構成となっている。
【００２２】
なお、一対の上杵ガイドレール３１２には、上杵１００を臼部材１２０に向けて降下させるための降下用ガイドレール３１２Ａと、上杵１００を臼部材１２０から上方に退避させるための上昇ガイドレール３１２Ｂとを有している。そして、これら降下用ガイドレール３１２Ａと上昇ガイドレール３１２Ｂの間の位置に、後述する上加圧ローラ５０が位置する構成となっている。
【００２３】
なお、上ガイド部３１には、上杵１００を装着孔３２ａから脱落させないような不図示の支持部も設けられている。
【００２４】
上杵ロータ部３２は、上述したユニット軸３６と共に、一体的に回転する部分である。この上杵ロータ部３２は、多数の装着孔３２ａを備えていて、それぞれの装着孔３２ａには、上杵１００が摺動可能な状態で保持されている。なお、装着孔３２ａは、数十個設けられているが、その個数は限定されるものではない。
【００２５】
また、臼ロータ部３３は、臼部材１２０を保持する円盤状の部材であり、上杵ロータ部３２と下杵ロータ部３４の間に設けられている。この臼ロータ部３３は、多数の装着孔３３ａを備えていて、それぞれの装着孔３３ａには、臼部材１２０が保持されている。なお、装着孔３３ａの個数は、上述した装着孔３２ａの個数と同数となっている。また、装着孔３２ａに保持される上杵１００と、装着孔３３ａに保持される臼部材１２０とは同一軸線に位置するように設けられている。
【００２６】
また、下杵ロータ部３４も、上述したユニット軸３６と共に、一体的に回転する部分である。この下杵ロータ部３４も、多数の装着孔３４ａを備えていて、それぞれの装着孔３４ａには、下杵１１０が摺動可能な状態で保持されている。なお、装着孔３４ａの個数は、上述した装着孔３２ａおよび装着孔３３ａの個数と同数となっている。また、装着孔３２ａに保持される上杵１００と、装着孔３３ａに保持される臼部材１２０および装着孔３４ａに保持される下杵１１０とは同一軸線に位置するように設けられている。
【００２７】
なお、上杵ロータ部３２および下杵ロータ部３４は、回転部材に対応している。なお、上杵ロータ部３２のみが回転部材に対応するものとしても良く、下杵ロータ部３４のみが回転部材に対応するものとしても良く、上杵ロータ部３２と下杵ロータ部３４の両方が杵部材に対応するものとしても良い。
【００２８】
また、下ガイド部３５は、下杵ロータ部３４よりも下方側に設けられている。ただし、下ガイド部３５は、下杵ロータ部３４よりも下方に位置している関係上、ユニット軸３６とは別途の位置に支持される。しかしながら、下ガイド部３５は、下杵１１０に係合するため、別途の位置での支持状態を解除すれば、ロータブロック３０の一部分として、ロータブロック３０の他の部分と一体に着脱できる。
【００２９】
下ガイド部３５も、上述した上ガイド部３１と同様に、ユニット軸３６に対して軸受等を介して回転自在に設けられている。したがって、ユニット軸３６と共に下杵ロータ部３４等が回転した場合でも、下ガイド部３５を別途の固定的な部位に係止させることで、非回転とすることができる。
【００３０】
この下ガイド部３５を周方向に沿って進行すると、上述した上ガイド部３１と同様に、下杵１１０の高さを変動させることができる。したがって、下杵ロータ部３４に装着されている下杵１１０は、下杵ロータ部３４の回転に従って上下動する構成となっている。なお、図２に示す構成では、下ガイド部３５は、下方側から下杵１１０の頭部１１４を受け止める構成となっているが、それ以外の構成を採用しても良い。
【００３１】
次に、ローラ支柱４０、上加圧ローラ５０および下加圧ローラ６０について説明する。ローラ支柱４０は、上下方向に延伸する部分であり、上加圧ローラ５０および下加圧ローラ６０を回転自在に支持している。このローラ支柱４０には、上加圧ローラ５０および下加圧ローラ６０を、上下動させると共に、所定の加圧力を与えるローラ押圧機構（図示省略）が存在している。
【００３２】
また、上加圧ローラ５０は、上述したように降下用ガイドレール３１２Ａと上昇ガイドレール３１２Ｂの間に位置している。図１および図２に示すように、装着孔３２ａに差し込まれている上杵１００は、上杵ロータ部３２の上面よりも上方に突出している。そのため、臼部材１２０の挿入孔１２３に錠剤等を形成するための粉末を供給し、その後に上杵１００が上加圧ローラ５０によって押圧されると共に、後述する下杵１１０が下加圧ローラ５０によって押圧されることで、錠剤が加圧成形される。
【００３３】
ここで、図１および図２に示すように、上加圧ローラ５０は一対設けられている。詳述すると、上加圧ローラ５０には、上予圧用ローラ５０Ａと、上本加圧用ローラ５０Ｂとが存在する。上予圧用ローラ５０Ａは、臼部材１２０の挿入孔１２３に供給されている粉末を予備的に加圧するものである。また、上本加圧用ローラ５０Ｂは、予備的に加圧された粉末を、本格的に加圧するためのものである。かかる上予圧用ローラ５０Ａおよび上本加圧用ローラ５０Ｂは、上杵１００の頭部１０４に位置し、上杵１００が挿入孔１２３の所定深さとなる位置まで押し込む。
【００３４】
また、下加圧ローラ６０にも、上述した上予圧用ローラ５０Ａと同様の下予圧用ローラ６０Ａと、上本加圧用ローラ５０Ｂと同様の下本加圧用ローラ６０Ｂとが存在している。なお、これら下予圧用ローラ６０Ａおよび下本加圧用ローラ６０Ｂの構成は、上述した上予圧用ローラ５０Ａおよび上本加圧用ローラ５０Ｂと同様であるため、その詳細についての説明は省略する。
【００３５】
また、ロータリプレス装置１０には、錠剤排出機構７０も設けられている。錠剤排出機構７０は、挿入孔１２３の内部で加圧成形され、下杵１１０によって挿入孔１２３から排出された錠剤を、外部に排出するための機構である。
【００３６】
また、ロータリプレス装置１０は、タグ検出部８０（図１３参照）も備えている。タグ検出部８０は、後述するＩＣタグ２００を検出する部分である。なお、図１３においては、タグ検出部８０が対向する部位の一例として、上杵１００の頭部１０４が示されている。しかしながら、タグ検出部８０は、下杵１１０の頭部１１４や、臼部材１２０の筒状部１２１の外周面と対向する配置としても良いのは勿論である。
【００３７】
上述のタグ検出部８０には、コイルアンテナ８１と、ケーブル８２とが設けられている。コイルアンテナ８１は、たとえば上杵１００、下杵１１０のタグ挿入穴１０４ｂ，１１４ｂに嵌め込まれているＩＣタグ２００のＩＣインレット２２０と対向する部分である。そして、ＩＣインレット２２０に存在するコイルアンテナ２２３と対向していて、これらコイルアンテナ８１とコイルアンテナ２２３の間を磁力線φが通過することにより、両者の間でトランス結合（磁界結合と称される場合もある）を生じさせる。
【００３８】
また、ケーブル８２は、コイルアンテナ８１に電気的に接続されていると共に、リーダ装置３００にも電気的に接続されている。リーダ装置３００は、ネットワーク等を介して上位システム３０１に接続されている。この上位システム３０１には、ＩＣタグ２００が取り付けられたワーク（上杵１００、下杵１１０および臼部材１２０）のＩＤや使用開始日等のデータが蓄えられる。また、ＩＣタグ２００からの応答がない場合には、ワーク（上杵１００、下杵１１０および臼部材１２０）の故障または寿命が到来したなどと判定する。
【００３９】
ここで、ワーク（上杵１００、下杵１１０および臼部材１２０）の無応答やショット回数の上限に到達した等の理由によって、ワークに寿命が到来したと上位システム３０１で判定された場合には、上位システム３０１は、ワークを自動的に発注できるシステムを構築することができる。また、ワークに寿命が到来していなくても、その寿命の到来が近いと判定された場合には、ワークの納期を加味した自動発注システムを構築することができる。
【００４０】
なお、タグ検出部８０には、リーダ装置３００が小さく一体化し含まれるものとしても良いが、リーダ装置３００が大きく別体とし含まれないものとしても良い。
【００４１】
＜２．上杵１００、下杵１１０および臼部材１２０について＞
図４は、上杵１００を上側から見た状態を示す斜視図である。図５は、上杵１００を下側から見た状態を示す斜視図である。図６は、上杵１００、下杵１１０および臼部材１２０の側面図であり、これらが同一軸線上に配置された状態を示す図である。
【００４２】
上杵１００および下杵１１０は、杵部材に対応している。なお、上杵１００のみが杵部材に対応するものとしても良く、下杵１１０のみが杵部材に対応するものとしても良く、上杵１００と下杵１１０の両方が杵部材に対応するものとしても良い。上杵１００は、たとえば鋼材等の金属を材質として形成されているが、窒化クロムコーティング等のような所定の表面処理を施すようにしても良い。
【００４３】
図４から図６に示すように、上杵１００は、本体部１０１と、挿入部１０２と、くびれ部１０３と、頭部１０４と、を有している。本体部１０１は、上杵１００の中で最も長尺状の円柱部分である。この本体部１０１は、上述した上杵ロータ部３２の装着孔３２ａに挿入される部分であり、この装着孔３２ａの内部を摺動可能となっている。また、挿入部１０２は、臼部材１２０の挿入孔１２３に挿入される部分であり、その挿入孔１２３に対応した直径を有している。
【００４４】
この挿入部１０２の端面には、錠剤加圧部１０２ａが設けられている。錠剤加圧部１０２ａの一例としては、たとえば最も多く流通しているレンズ型の錠剤に対応させて湾曲した凹部形状が挙げられる。しかしながら、リング型の錠剤に対応させて錠剤加圧部１０２ａの中央部に突起部が存在するものであっても良く、その他の特殊形状の錠剤に対応させて錠剤加圧部１０２ａの形状が形成されていても良い。
【００４５】
また、くびれ部１０３は、本体部１０１と頭部１０４との間で、これらよりも直径が小さく設けられている部分である。そのため、くびれ部１０３を介して、上杵１００を保持することが可能となっている。
【００４６】
また、頭部１０４は、上杵１００の上部に位置する部分であり、くびれ部１０３よりも大径に設けられている。この頭部１０４の上面側には、上述したような上加圧ローラ５０が摺動する摺動面１０４ａが設けられている。この摺動面１０４ａは、中央部分が最も上方に突出するような湾曲した形状に設けられている。
【００４７】
この摺動面１０４ａには、タグ挿入穴１０４ｂが設けられている。タグ挿入穴１０４ｂには、後述するＩＣタグ２００が挿入される。ただし、摺動面１０４ａには、上述のように上加圧ローラ５０が摺動する。そのため、図４に示すように、摺動面１０４ａとＩＣタグ２００とは面一に設けられているが、摺動面１０４ａには、タグ挿入穴１０４ｂとＩＣタグ２００の境界の輪郭が存在している。
【００４８】
図７は、タグ挿入穴１０４ｂを拡大して示すと共に、このタグ挿入穴１０４ｂに挿入されるＩＣタグ２００を示す側断面図である。図７に示すように、タグ挿入穴１０４ｂの内周面には、リング状の凹嵌部１０４ｂ１が設けられている。凹嵌部１０４ｂ１は、後述するＩＣタグ２００のフランジ部２１１を嵌め込むための部分となっている。
【００４９】
図８は、下杵１１０を上側から見た状態を示す斜視図である。図９は、下杵１１０を下側から見た状態を示す斜視図である。下杵１１０は、上述した上杵１００と同様の材質から形成されているが、異なった材質から形成されていても良い。この下杵１１０も、上述した上杵１００と同様に、本体部１１１と、挿入部１１２と、くびれ部１１３と、頭部１１４とを有している。
【００５０】
ここで、図７および図８から明らかなように、挿入部１１２は、上杵１００の挿入部１０２よりも長く設けられている。すなわち、臼部材１２０の挿入孔１２３の内部で加圧成形された錠剤は、挿入孔１２３から排出する必要がある。そのため、挿入部１１２は挿入孔１２３の軸線方向の長さと同程度か、この挿入孔１２３の軸線方向の長さよりも長く設けられている。なお、挿入部１１２にも、錠剤加圧部１１２ａが設けられていて、その錠剤加圧部１１２ａの構成は、上述の錠剤加圧部１０２ａと同様となっている。
【００５１】
なお、下杵１１０と臼部材１２０とをロータリプレス装置１０に装着した状態においては、挿入部１１２の少なくとも一部は、臼部材１２０の挿入孔１２３の内部に常に挿入された状態とすることもできる。挿入部１１２の錠剤加圧部１１２ａでは、挿入孔１２３に投入された粉末を下方側から受け止める必要があるからである。
【００５２】
下杵１１０の頭部１１４の摺動面１１４ａには、上述したタグ挿入穴１０４ｂと同様のタグ挿入穴１１４ｂが設けられている。そして、この同様のタグ挿入穴１１４ｂにも、凹嵌部１１４ｂ１が設けられている。なお、本体部１１１、くびれ部１１３の構成は、上述した本体部１０１、挿入部１０２、くびれ部１０３および頭部１０４と同様の構成となっている。そのため、これらについての説明は省略する。
【００５３】
次に、臼部材１２０について説明する。図１０は、臼部材１２０の構成を示す斜視図である。図７および図１０に示すように、臼部材１２０は、筒状に形成された筒状部１２１を備えているが、その筒状部１２１の外周側のうち、高さ方向の中央部分には、周状のガイド凹部１２２が設けられている。かかるガイド凹部１２２の存在により、臼部材１２０が臼ロータ部３３の装着孔３３ａに挿入された場合でも、装着孔３３ａの内部で臼部材１２０が移動するのを防止可能となる。
【００５４】
また、臼部材１２０のうち、筒状部１２１で囲まれた内部側には、挿入孔１２３が存在している。挿入孔１２３は、上述した挿入部１０２および挿入部１１２を挿入する孔部分であり、上述した挿入部１０２および挿入部１１２に対応した内径を有している。すなわち、挿入部１０２および挿入部１１２は、挿入孔１２３に対して摺動可能な程度のクリアランスを有している。
【００５５】
ここで、筒状部１２１の外周面のうち、ガイド凹部１２２よりも上方側または下方側には、内径側に向かって窪むようにタグ挿入穴１２４が設けられている。このタグ挿入穴１２４には、上述したタグ挿入穴１０４ｂ，１１４ｂと同様に、凹嵌部１２４ａが設けられていて、その凹嵌部１２４ａには、後述するＩＣタグ２００のフランジ部２１１が嵌め込まれる。
【００５６】
＜３．ＩＣタグ２００について＞
続いて、ＩＣタグ２００について説明する。図１１は、ＩＣタグ２００の構成を示す斜視図である。図１１に示すように、ＩＣタグ２００は、タグ保持部２１０と、ＩＣインレット２２０とを有している。タグ保持部２１０は、誘電性樹脂材料で形成された樹脂を材質として形成されている。そのような樹脂としては、たとえばポリエーテルエーテルケトン（ＰＥＥＫ）が挙げられるが、これ以外の樹脂を材質としても良い。ただし、タグ保持部２１０は、例えば、磁路の流れを良くするために、誘電性樹脂材料以外に、磁性体の粉末、または誘電体と磁性体の粉末の混合体などを用いるようにしても良い。
【００５７】
タグ保持部２１０は、円柱状に設けられていて、その直径は上述したタグ挿入穴１０４ｂ，１１４ｂ，１２４に対応した大きさとなっている。円柱状のタグ保持部２１０の外周面からは、径方向の外側に向かうようにフランジ部２１１が突出している。フランジ部２１１は、上述したタグ挿入穴１０４ｂ，１１４ｂ，１２４の凹嵌部１０４ｂ１，１１４ｂ１，１２４ａに挿入される部分であり、かかる挿入によって、ＩＣタグ２００がタグ挿入穴１０４ｂ，１１４ｂ，１２４から抜け難い構成となっている。
【００５８】
ここで、図７から明らかなように、フランジ部２１１は、ＩＣインレット２２０よりもタグ挿入穴１０４ｂ，１１４ｂ，１２４の奥側に位置している。このため、ＩＣインレット２２０は、フランジ部２１１よりも早く摩耗するように構成されている。なお、フランジ部２１１は、少なくとも一部がＩＣインレット２２０よりもタグ挿入穴１０４ｂ，１１４ｂ，１２４の奥側に位置していれば良い。
【００５９】
また、タグ保持部２１０には、逃げ溝２１２も設けられている。逃げ溝２１２は、タグ挿入穴１０４ｂ，１１４ｂ，１２４にＩＣタグ２００を挿入する際に、タグ保持部２１０の弾性変形を許容するための部分である。すなわち、タグ保持部２１０の直径は、タグ挿入穴１０４ｂ，１１４ｂ，１２４に対応している。一方、タグ保持部２１０には、フランジ部２１１が存在していて、そのフランジ部２１１が存在する分だけ、ＩＣタグ２００はタグ挿入穴１０４ｂ，１１４ｂ，１２４に挿入し難くなっている。そこで、タグ保持部２１０に逃げ溝２１２を設けることで、挿入時にタグ保持部２１０が弾性変形し、それによってタグ挿入穴１０４ｂ，１１４ｂ，１２４にＩＣタグ２００を挿入し易くなっている。
【００６０】
また、図７に示すように、タグ保持部２１０の内部には、上杵１００、下杵１１０および臼部材１２０の交換の目印となるマーカー層２１３が設けられている。マーカー層２１３は、タグ保持部２１０の他の部分とは異なる色に着色されている部分である。なお、マーカー層２１３は、識別層に対応する。
【００６１】
このマーカー層２１３は、通常はタグ保持部２１０の樹脂部分で覆われていて、露出しない。すなわち、マーカー層２１３のうち、ＩＣインレット２２０および逃げ溝２１２とは反対側は、被覆層２１４で覆われている。そして、初期状態では、被覆層２１４の厚みは、上杵１００、下杵１１０および臼部材１２０の摩耗限界に対応した厚みとなっている。
【００６２】
ここで、上杵１００の頭部１０４、下杵１１０の頭部１１４および臼部材１２０の筒状部１２１等が摩耗していくと、これらのタグ挿入穴１０４ｂ，１１４ｂ，１２４に挿入されているＩＣタグ２００も摩耗していく。それによって被覆層２１４の厚みが徐々に薄くなっていき、マーカー層２１３が露出する。そして、作業者がマーカー層２１３が露出しているのを確認すると、上杵１００、下杵１１０および臼部材１２０の交換の時期が到来したことを認識可能となっている。
【００６３】
続いて、ＩＣインレット２２０について説明する。図１２は、ＩＣインレット２２０の構成を示す斜視図である。図１２に示すように、ＩＣインレット２２０は、ＩＣタグ基板２２１と、ＩＣチップ２２２と、コイルアンテナ２２３とを備えている。ＩＣタグ基板２２１は、略矩形状をなす平板形状に形成されている。ＩＣタグ基板２２１としては、たとえばガラスエポキシ基板あるいはＰＥＴを始めとした樹脂製のフィルムを用いることができる。ＩＣタグ基板２２１は、ＩＣチップ２２２と、コイルアンテナ２２３とを有しているが、そのうちＩＣチップ２２２は、各種のデータを記憶する。
【００６４】
図１３は、ロータリプレス装置１０のタグ検出部８０を示すと共に、磁力線φがタグ検出部８０のコイルアンテナ８１と、ＩＣタグ２００のコイルアンテナ２２３を通過し、両者の間に磁界結合であるトランス結合を生じさせる状態を示す図である。図１３に示すように、本実施の形態では、ＩＣインレット２２０は、その表面および裏面の法線が、タグ挿入穴１０４ｂ，１１４ｂ，１２４の深さ方向と平行となるように配置されている。そのため、磁力線φがタグ検出部８０のコイルアンテナ８１とコイルアンテナ２２３を通過し、両者の間にトランス結合を生じさせる。それにより、コイルアンテナ２２３を介してＩＣインレット２２０に電力が供給され、ＩＣチップ２２２に対して情報の読み出しおよび情報の書き込みが可能となる。
【００６５】
＜４・ＩＣタグおよびタグ挿入穴の変形例について＞
上述したように、ＩＣタグ２００が強い衝撃を受けたり高い押圧力で押圧されても、ＩＣタグ２００が浮いてきたり、抜け落ちて外れてしまうことを防止するために、ＩＣタグ２００には、フランジ部２１１が設けられている。
【００６６】
以上説明した構成に対して、更にＩＣタグ２００の浮きや抜け落ちを防止することが可能なように、上述したタグ挿入穴１０４ｂ，１１４ｂ，１２４の構成を、図１４に示すように変更することが可能である。
【００６７】
すなわち、上述したタグ挿入穴１０４ｂ，１１４ｂ，１２４に代わって構成されるタグ挿入穴４０４ｂ，４１４ｂ，４２４は、その内周面に、ネジ状ではなくリング状の凸部を有している。換言すれば、タグ挿入穴４０４ｂ，４１４ｂ，４２４は、環状に閉じた複数のリング状凸部４０５，４１５，４２５を有している。なお、リング状凸部４０５，４１５，４２５は、凸部に対応する。
【００６８】
なお、リング状凸部４０５，４１５，４２５は、ネジ山に類似する突出部分であり、突出の先端部分が鋭角状であることが好ましい。ただし、食い込みが良好であれば、リング状凸部４０５，４１５，４２５は、の先端部分は、鋭角状ではなく９０度であっても良く、鈍角であっても良い。また、隣り合うリング状凸部４０５，４１５，４２５の間には、リング状凹部４０６，４１６，４２６が設けられていて、このリング状凹部４０６，４１６，４２６に、タグ保持部２１０の外周面の肉部分が入り込む（逃げる）。
【００６９】
上杵１００、下杵１１０および臼部材１２０には、錠剤等を形成する際に大きな衝撃が加わり、その回数は、例えば、１００万回以上にも及ぶ。そのため、ＩＣタグ２００は、大きな衝撃を何度受けても、タグ挿入穴１０４ｂから浮いたり、抜け落ちることがないようにする必要がある。図１４に示される構成においては、ＩＣタグ２００がタグ挿入穴４０４ｂの定位置に嵌め込まれた場合、樹脂材料で形成されたタグ保持部２１０の外周に、タグ挿入穴４０４ｂ，４１４ｂ，４２４の内周面に設けられたリング状凸部の鋭角な部分が多段に食い込むため、この食い込みの高い抵抗により、簡単な構成で、浮きや脱落を更に防止することが可能になる。
【００７０】
また、内周面の複数のリング状の凹凸（リング状凸部４０５，４１５，４２５や、リング状凹部４０６，４１６，４２６）により、大きな衝撃を何度受けても、充分、浮いたり、抜け落ちることを防止することができる場合、図１５に示すように、凹嵌部１０４ｂ１、１１４ｂ１、１２４ａ、および、フランジ部２１１を省略することが可能である。
【００７１】
すなわち、上述したタグ挿入穴１０４ｂ，１１４ｂ，１２４とは異なり、タグ挿入穴４５４ｂ，４６４ｂ，４７４は、図１５に示すように、その内周面に、上述したリング状凸部４０５，４１５，４２５およびリング状凹部４０６，４１６，４２６を有するものの、凹嵌部１０４ｂ１，１１４ｂ１，１２４ａが省略された構成となっている。また、タグ挿入穴４５４ｂ，４６４ｂ，４７４に装着されるＩＣタグ４００ａも、ＩＣタグ２００に対して、フランジ部２１１が省略された構成となっている。
【００７２】
また、上述したＩＣタグ２００のタグ保持部２１０には、フランジ部２１１が存在していて、そのフランジ部２１１が存在する分だけ、ＩＣタグ２００はタグ挿入穴１０４ｂ，１１４ｂ，１２４に挿入し難くなっていた。そこで、タグ保持部２１０に逃げ溝２１２を設けることで、挿入時にタグ保持部２１０を弾性変形させ、それによってタグ挿入穴１０４ｂ，１１４ｂ，１２４にＩＣタグ２００を挿入し易い構造としていたが、ＩＣタグ４００ａのタグ保持部４１０ａにおいては、フランジ部２１１がなくなったことにより、逃げ溝２１２を設ける必要がなくなる。
【００７３】
また、図１６に示すＩＣタグ４００ｂのように、タグ挿入穴１０４ｂ，１１４ｂ，１２４に対してＩＣタグ２００ｂを嵌め込むときに、その間の空気を逃がして嵌め込みやすくするように、タグ保持部４１０ｂに空気逃がし溝４２０（逃がし溝に対応する）を設けてもよい。図１６では、空気逃がし溝４２０が４つ設けられているものとして図示しているが、空気逃がし溝４２０の数は、この限りではない。なお、図１６に示す構成では、空気逃がし溝４２０は、タグ保持部４１０ｂの下端面を突っ切るように設けられていることで、タグ挿入穴１０４ｂ，１１４ｂ，１２４の内部の空気を外部に良好に逃がすようにしている。また、空気逃がし溝４２０は、タグ保持部４１０ｂの高さ方向の中間位置まで到達しているが、その中間位置よりも上方側まで延伸していても良く、中間位置に到達していなくても良い。
【００７４】
＜５．作用効果について＞
以上のような構成の杵部材（上杵１００、下杵１１０）によると、上杵１００および下杵１１０の頭部１０４，１１４にはタグ挿入穴１０４ｂ，１１４ｂ，４０４ｂ，４１４ｂ，４５４ｂ，４６４ｂが設けられていて、そのタグ挿入穴１０４ｂ，１１４ｂ，４０４ｂ，４１４ｂ，４５４ｂ，４６４ｂにはＩＣタグ２００，４００ａ，４００ｂが挿入されている。すなわち、上杵１００および下杵１１０には、ＩＣタグ２００，４００ａ，４００ｂが取り付けられている。したがって、上杵１００および下杵１１０に取り付けられているＩＣタグ２００，４００ａ，４００ｂが備えるＩＣチップ２２２のデータを読み込んだり、ＩＣチップ２２２にデータを書き込むことにより、ロータリプレス装置１０に上杵１００や下杵１１０を装着する際に、装着ミスを防ぐことが可能となる。
【００７５】
すなわち、ある上杵１００に対しては、どの臼部材１２０や下杵１１０を用いるのかについて、予め定められている場合が多い。一方で、現状は、上杵１００や上杵１００を目視にて確認しつつロータリプレス装置１０に装着している。その場合、装着ミス等の人為的なミスが発生する虞がある。特に、上杵１００や下杵１１０に刻印されている個体識別番号は、小さい字で刻印される場合が多く、目視がし難い場合が多い。
【００７６】
このような装着ミスが生じると、たとえば刻印ミス等が生じた錠剤を大量に生産してしまったり、規定の加圧力とは異なる圧力にて加圧成形された錠剤を大量に生産してしまう等の不具合が発生する場合がある。
【００７７】
これに対して、本実施の形態では、上杵１００および下杵１１０には、ＩＣタグ２００，４００ａ，４００ｂが取り付けられていて、そのＩＣタグ２００，４００ａ，４００ｂが備えるＩＣチップ２２２のデータを読み込んだり、ＩＣチップ２２２にデータを書き込むことにより、ロータリプレス装置１０に上杵１００や下杵１１０を装着する際に、装着ミスを防ぐことが可能となる。したがって、たとえば刻印ミス等が生じた錠剤を大量に生産してしまったり、規定の加圧力とは異なる圧力にて加圧成形された錠剤を大量に生産してしまう等の不具合を防止可能となる。
【００７８】
また、上杵１００や下杵１１０をロータリプレス装置１０に装着する際に、小さい字で刻印されている個体識別番号を読む必要がない。そのため、上杵１００や下杵１１０を、ロータリプレス装置１０に対して素早く装着することができる。
【００７９】
また、本実施の形態では、上杵１００や下杵１１０の寿命管理をすることができる。すなわち、上杵１００および下杵１１０の頭部１０４，１１４には、錠剤を形成する際に高い圧力がかかる。したがって、頭部１０４，１１４では、打錠回数に応じた摩耗が生じる。そして、所定の摩耗量を超えると、その分だけ成形の際の加圧力が変化してしまい、錠剤の成形不良が生じたり、錠剤への刻印が不明瞭になる等してしまい、不良品の錠剤を大量に生産してしまう虞がある。
【００８０】
しかしながら、本実施の形態では、上杵１００や下杵１１０にはＩＣタグ２００，４００ａ，４００ｂが取り付けられているので、そのＩＣタグ２００，４００ａ，４００ｂが備えるＩＣチップ２２２のデータを利用して、上杵１００や下杵１１０の使用開始時期や寿命到来時期を管理することができる。したがって、上杵１００や下杵１１０の摩耗量を予測することができ、不良品の錠剤が形成されるのを防止することができる。
【００８１】
また、本実施の形態では、タグ挿入穴４０４ｂ，４１４ｂ，４５４ｂ，４６４ｂには、複数のリング状凸部４０５，４１５，４２５が設けられている。また、タグ挿入穴４０４ｂ，４１４ｂ，４５４ｂ，４６４ｂに挿入されたＩＣタグ４００ａ，４００ｂのタグ保持部４１０ａ，４１０ｂの外周面は、前記凸部が多段に食い込む。このため、上加圧ローラ５０や下加圧ローラ６０によって、タグ挿入穴４０４ｂ，４１４ｂ，４５４ｂ，４６４ｂに嵌め込まれているＩＣタグ４００ａ，４００ｂが高い押圧力で押圧されても、ＩＣタグ４００ａ，４００ｂが外れてしまうのを防止可能となる。したがって、上杵１００や下杵１１０の個体管理を長期に亘り確実に行うことができる。
【００８２】
また、本実施の形態では、リング状凸部４０５，４１５，４２５およびリング状凹部４０６，４１６，４２６は、切削刃を押し当てることによって容易に加工することができる。したがって、製作コストを大幅に低減することができる。
【００８３】
また、本実施の形態では、ＩＣタグ２００のタグ保持部２１０には、フランジ部２１１が設けられている。また、フランジ部２１１は、タグ挿入穴４０４ｂ，４１４ｂの凹嵌部１０４ｂ１，１１４ｂ１に嵌め込まれる。このため、上加圧ローラ５０や下加圧ローラ６０によって、タグ挿入穴４０４ｂ，４１４ｂに嵌め込まれているＩＣタグ２００が高い押圧力で押圧されても、ＩＣタグ２００が外れてしまうのを防止可能となる。したがって、上杵１００や下杵１１０の個体管理を長期に亘り確実に行うことができる。
【００８４】
特に、本実施の形態では、ＩＣタグ２００，４００ａ，４００ｂを設置する場合に、当業者は考えないような、高い加圧力にて押し込まれる頭部１０４，１１４（摺動面１０４ａ，１１４ａ）に、あえてＩＣタグ２００を取り付けている。そして、ＩＣタグ２００，４００ａ，４００ｂのＩＣチップ２２２との間での情報の送受信のみならず、ＩＣタグ２００，４００ａ，４００ｂの機械的な構造にも、摩耗限界を示す機能を持たせている。それにより、作業者は、リーダ装置３００や、外部の情報送受信装置を用いた寿命管理以外にも、ＩＣタグ２００，４００ａ，４００ｂの機械的な構造に基づいて、寿命管理をすることができる。
【００８５】
さらに、本実施の形態では、タグ保持部４１０ｂには、このタグ保持部４１０ｂが前記タグ挿入穴４５４ｂ，４６４ｂに挿入されるときに空気を逃がすための空気逃がし溝４２０が設けられている。これにより、ＩＣタグ４００ｂをタグ挿入穴４５４ｂ，４６４ｂに挿入し易くなる。特に、タグ保持部４１０ｂが、たとえばポリエーテルエーテルケトン（ＰＥＥＫ）のような硬質の樹脂から形成されている場合には、空気逃がし溝４２０が存在することで、挿入の容易性を確保することができる。
【００８６】
また、本実施の形態では、臼部材１２０にもＩＣタグ２００，４００ａ，４００ｂが取り付けられている。したがって、臼部材１２０に取り付けられているＩＣタグ２００，４００ａ，４００ｂのＩＣチップ２２２のデータを読み込んだり、ＩＣチップ２２２にデータを書き込むことにより、ロータリプレス装置１０に臼部材１２０を装着する際に、装着ミスを防ぐことが可能となる。
【００８７】
さらに、本実施の形態では、ロータリプレス装置１０には、タグ検出部８０が設けられていて、このタグ検出部８０は、杵部材（上杵１００および下杵１１０）と対向する部位に取り付けられている。そして、タグ検出部８０は、高周波電流に基づく電磁誘導に基づいて、ＩＣタグ２００，４００ａ，４００ｂを検出することができる。したがって、多数の上杵１００および下杵１１０が装着されている上杵ロータ部３２および下杵ロータ部３４を少なくとも１回転させることにより、全ての杵部材（上杵１００および下杵１１０）が備えるＩＣタグ２００，４００ａ，４００ｂとの間で、情報の送受信を行える。それにより、全ての全ての杵部材（上杵１００および下杵１１０）について、寿命管理を行うことができ、またセットされた位置を認識することが可能となる。
【００８８】
また、ロータリプレス装置１０にタグ検出部８０が設けられることにより、ロータリプレス装置１０が運転している状態でも、杵部材（上杵１００および下杵１１０）の判別をすることが可能となる。
【００８９】
＜６．変形例＞
以上、本発明の一実施の形態について説明したが、本発明はこれ以外にも種々変形可能となっている。以下、それについて述べる。
【００９０】
上述の実施の形態においては、マーカー層２１３は、ＩＣインレット２２０とは別体的に設けられている。しかしながら、マーカー層は、ＩＣインレット２２０と一体的に設けられていても良い。この場合には、タグ保持部２１０を形成する際に、樹脂の射出成型等を行うだけで済み、タグ保持部２１０を形成し易くなる。
【００９１】
また、上述の実施の形態では、識別層としてのマーカー層２１３は、タグ保持部２１０の他の部分とは異なる色に着色されている部分としている。しかしながら、識別層は、タグ保持部２１０の他の部分と光の反射状況が異なることで、その他の部分と区別可能であれば、どのようなものであっても良い。そのような他の識別層としては、たとえば見た目が明らかに異なる網目状の繊維状の部材のように、他の材質を用いるものがある。
【００９２】
また、上述の実施の形態においては、ＲＦＩＤ通信にて用いられるＵＨＦ帯の周波数として９２０ＭＨｚが挙げられている。しかしながら、ＲＦＩＤ通信にて用いられるＵＨＦ帯の周波数としては、たとえば８６０ＭＨｚから９６０ＭＨｚの帯域であれば、どのような周波数であっても良い。また、ＲＦＩＤ通信にて用いられる周波数としては、ＵＨＦ帯の周波数には限られず、２．４５ＧＨｚを中心とする周波数であっても良く、４３３ＭＨｚを中心とする周波数であっても良く、その他の周波数であっても良い。
【００９３】
また、上述の実施の形態においては、凸部としてリング状凸部４０５，４１５，４２５について説明している。しかしながら、凸部はリング状凸部４０５，４１５，４２５には限られない。たとえば、完全なリング状ではないがリング状の少なくとも一部分が欠落した凸部であっても良く、その他プレス加工やシボ加工その他の転写加工によって形成される、不規則な凹凸のうちの凸部であっても良い。
【符号の説明】
【００９４】
１０…ロータリプレス装置、２０…ロータ支持部、３０…ロータブロック、３１…上ガイド部、３１ａ…内周凸部、３２…上杵ロータ部（回転部材に対応）、３２ａ，３３ａ，３４ａ…装着孔、３３…臼ロータ部、３４…下杵ロータ部（回転部材に対応）、３５…下ガイド部、４０…ローラ支柱、５０…上加圧ローラ、５０Ａ…上予圧用ローラ、５０Ｂ…上本加圧用ローラ、６０…下加圧ローラ、６０Ａ…下予圧用ローラ、６０Ｂ…下本加圧用ローラ、７０…錠剤排出機構、８０…タグ検出部、８１…コイルアンテナ、８２…ケーブル、１００…上杵（杵部材に対応）、１０１，１１１…本体部、１０２，１１２…挿入部、１０２ａ，１１２ａ…錠剤加圧部、１０３，１１３…くびれ部、１０４，１１４…頭部、１０４ａ，１１４ａ…摺動面、１０４ｂ，１１４ｂ，１２４，４０４ｂ，４１４ｂ，４２４，４５４ｂ，４６４ｂ，４７４…タグ挿入穴、１０４ｂ１，１１４ｂ１，１２４ａ…凹嵌部、１１０…下杵（杵部材に対応）、１２０…臼部材、１２１…筒状部、１２２…ガイド凹部、１２３…挿入孔、２００，４００ａ，４００ｂ…ＩＣタグ、２１０，４１０ａ，４１０ｂ…タグ保持部、２１１…フランジ部、２１２…逃げ溝、２１３…マーカー層（識別層に対応）、２１４…被覆層、２２０…ＩＣインレット、２２１…ＩＣタグ基板、２２２…ＩＣチップ、２２３…コイルアンテナ、３００…リーダ装置、３０１…上位システム、３１１…ガイドレール支持盤、３１２…上杵ガイドレール、３１２Ａ…降下用ガイドレール、３１２Ｂ…上昇ガイドレール、４０５，４１５，４２５…リング状凸部、４０６，４１６，４２６…リング状凹部、４２０…空気逃がし溝
【図１】
0006689407.tif 000002
【図２】
0006689407.tif 000003
【図３】
0006689407.tif 000004
【図４】
0006689407.tif 000005
【図５】
0006689407.tif 000006
【図６】
0006689407.tif 000007
【図７】
0006689407.tif 000008
【図８】
0006689407.tif 000009
【図９】
0006689407.tif 000010
【図１０】
0006689407.tif 000011
【図１１】
0006689407.tif 000012
【図１２】
0006689407.tif 000013
【図１３】
0006689407.tif 000014
【図１４】
0006689407.tif 000015
【図１５】
0006689407.tif 000016
【図１６】
0006689407.tif 000017